(57)【要約】【課題】  天井フレームと吊フレームとの結合部の強度を向上した空気調和機の吊下げ据付台を提供すること。【解決手段】  本発明に係る空気調和機の吊下げ据付台は、天井部に取り付けられる一対の天井フレーム１０と、この一対の天井フレーム１０間に跨って取り付けられるＵ字型の一対の吊金具２０とを有する。そして、天井フレーム１０は、天井部に沿う天井取付片部１１と、天井取付片部１１の一端から下方に向けて連接されたフレーム取付片部１２とからなり、かつ、フレーム取付片部１２と天井取付片部１１との境界部からフレーム取付片部１２において内部に長手方向全長に延びる複数の中空部１４ａ、１４ｂ、１６を備えた中空構造とする。なお、天井取付片部１１に長手方向のリブ１３を設けてもよい。【選択図】      図３
2006125784.tif 000002
【特許請求の範囲】
【請求項１】
天井部に取り付けられる一対の天井フレームと、この一対の天井フレーム間に跨って取り付けられるＵ字型の一対の吊金具とを有し、
天井フレームは、天井部に沿う天井取付片部と、天井取付片部の一端から下方に向けて連接されたフレーム取付片部とからなり、かつ、フレーム取付片部と天井取付片部との境界部からフレーム取付片部において内部に長手方向全長に延びる中空部を備えた中空構造に形成されている
ことを特徴とする空気調和機の吊下げ据付台。
【請求項２】
前記天井フレームは、天井取付片部に長手方向の複数のリブが一体に形成されてなることを特徴とする請求項１記載の空気調和機の吊下げ据付台。
【請求項３】
前記天井フレームは、フレーム取付片部に、吊フレームを固定するための締結具を仮締めした状態で、吊フレームをスライド式に位置調整可能とするフレーム結合部を有することを特徴とする請求項１又は２記載の空気調和機の吊下げ据付台。
【請求項４】
前記締結具は、ボルト部とナット部とを備え、前記フレーム結合部は、ナット部を回転しないように保持しながらスライド可能に保持する長手方向に延びる中空部を有するとともに、該中空部の一面をボルト部が貫通するスリットにより外部に開放し、該スリットが形成されている面を吊フレーム取付面としてなる構造を備えていることを特徴とする請求項３記載の空気調和機の吊下げ据付台。
【請求項５】
前記フレーム取付片部は、上方部分に鉛直部、下方部分に傾斜部を有し、この傾斜部の内部にフレーム結合部を構成する前記中空部を形成するとともに、該傾斜部の上面にフレーム結合部を構成する前記スリットを開口し、この上面を吊フレーム取付面としてなることを特徴とする請求項４記載の空気調和機の吊下げ据付台。
【請求項６】
前記傾斜部は、前記フレーム取付片部において、下方が天井取付片部の反対側に傾斜するように構成されていることを特徴とする請求項５記載の空気調和機の吊下げ据付台。
【請求項７】
前記吊フレームは、天井フレームに結合する第１連結部と吊フレームに結合する第２連結部とを備えた別体のフレーム連結部材により天井フレームに結合され、更に、前記第１連結部は、前記傾斜部の上面に当接するとともに、第１連結部の先端部に前記フレーム取付片部の鉛直部から傾斜部にかけてのコーナ部に当接する当接部が形成されていることを特徴とする請求項５又は６記載の空気調和機の吊下げ据付台。
【請求項８】
前記フレーム連結部材は、第１連結部と第２連結部との境界部から第２連結部において中空構造に形成されてなることを特徴とする請求項７記載の空気調和機の吊下げ据付台。
【請求項９】
前記フレーム連結部材は、中空部が天井フレームの長手方向に延びる中空構造とすることにより天井フレームの長手方向に一定の断面形状とし、天井フレームの長手方向に押し出された押出型材から形成されてなることを特徴とする請求項８記載の空気調和機の吊下げ据付台。
【発明の詳細な説明】
【技術分野】
【０００１】
本発明は、空気調和機の室外機を天井部に吊下げて設置するときに用いる空気調和機の吊下げ据付台に関する。
【背景技術】
【０００２】
セパレート型空気調和機の室外機は、外気と熱交換させる熱交換器を搭載しているため屋外に設置しなければならない。しかし、集合住宅などでは地上の設置場所がなく、ベランダのスペースも限られているので、上層階のベランダの下面に吊下げ据付台を取り付け、これに室外機を取り付けるのが一般的な方法となっている。このために、集合住宅のベランダの下面側には空気調和機の吊下げ据付台を取り付けるためのアンカーボルトが予め取り付けられている。
【０００３】
このようなアンカーボルトに取り付けられる従来の空気調和機の吊下げ据付台の一例としては特許文献１に記載されているものがある。この空気調和機を図１１及び図１２に示す。なお、図１１はこの従来例に係る空気調和機の吊下げ据付台の斜視図であり、図１２はベースフレームを吊フレームに取り付ける部分の側面拡大図である。
【０００４】
図１１に示すように、従来例に係る空気調和機の吊下げ据付台は、天井部に取り付けられる一対の天井フレーム１１０と、この一対の天井フレーム１１０間に跨って取り付けられるＵ字型の吊金具１２０とを備えている。また、吊金具１２０は一対の天井フレーム１１０それぞれから下方に向かって延びる一対の吊フレーム１２１と、両吊フレーム１２１の下部に対し両端部が連結されるベースフレーム１２２とによりＵ字形に形成されている。また、この空気調和機の吊下げ据付台は、前後左右それぞれにおいて対称的に形成されている。
【０００５】
そして、天井フレーム１１０は、鋼板を折り曲げて形成されたものであって、天井面に添え当てられる取付部１１１と、取付部１１１の外側端部から下方に延びる鉛直部１１２と、鉛直部１１２の下端から取付部１１１に対して逆向きに延びる水平部１１３と、水平部１１３から鉛直上方に延びる立上リ部１１４とからなる上方に開放されたコの字状の被係合部１１５が形成されている。一方、吊フレーム１２１も鋼板折り曲げにより形成されたものであって、その上端部に吊フレーム１２１を天井フレーム１１０に取り付けるための係合部１２３が一体に形成されている。係合部１２３は、上記被係合部１１５に対し引掛けてスライド可能に係合させるものであって、吊フレーム１２１の上端を延設した延設部１２４と、延設部１２４の上端から水平に延びる水平部１２５と、水平部１２５の先端から下方に向かって延びる爪部１２６とからなり、下方に開放したコの字状に形成されている。また、爪部１２６には上記天井フレーム１１０に対する吊フレーム１２１の移動を規制するための止め孔１２７が形成されており、被係合部１１５の鉛直部１１２からこの止め孔１２７を介して立上り部１１４に捩じ込まれる固定ビス１２８により、吊フレーム１２１が固定されるように構成されている。なお、図１１及び図１２において符号１１６はアンカーボルトであり、符号１１７はこのアンカーボルト１１６に天井フレーム１１０を取り付けるための長孔である。
【特許文献１】特開平８−１５９５１９号公報（第３−５頁、図１、図２）
【発明の開示】
【発明が解決しようとする課題】
【０００６】
従来例に係る空気調和機の吊下げ据付台では、上記のように天井フレーム１１０と吊フレーム１２１の結合部が形成されている。しかしながら、天井フレーム１１０に形成された鋼板折り曲げのコの字状の被係合部１１５に対し、吊フレーム１２１の上端に形成された鋼板折り曲げの係合部１２３が引掛け状態で取り付けられているため、被係合部１１５及び係合部１２３を形成する薄い板部材に荷重が掛かるため強度が弱いという問題があった。
【０００７】
本発明は、このような従来の課題に鑑み成されたものであって、本発明の目的は、天井フレームと吊フレームとの結合部の強度を向上した空気調和機の吊下げ据付台を提供することにある。
【課題を解決するための手段】
【０００８】
上記課題を解決するため、第１の発明に係る空気調和機の吊下げ据付台は、天井部に取り付けられる一対の天井フレームと、この一対の天井フレーム間に跨って取り付けられるＵ字型の一対の吊金具とを有し、天井フレームは、天井部に沿う天井取付片部と、天井取付片部の一端から下方に向けて連接されたフレーム取付片部とからなり、かつ、フレーム取付片部と天井取付片部との境界部からフレーム取付片部において内部に長手方向全長に延びる中空部を備えた中空構造に形成されていることを特徴とする。
【０００９】
また、第２の発明は、第１の発明において、前記天井フレームは、天井取付片部に長手方向の複数のリブが一体に形成されてなることを特徴とする。
また、第３の発明は、第１又は第２の発明において、前記天井フレームは、フレーム取付片部に、吊フレームを固定するための締結具を仮締めした状態で、吊フレームをスライド式に位置調整可能とするフレーム結合部を有することを特徴とする。
【００１０】
また、第４の発明に係るフレーム連結部材は、第３の発明において、前記締結具は、ボルト部とナット部とを備え、前記フレーム結合部は、ナット部を回転しないように保持しながらスライド可能に保持する長手方向に延びる中空部を有するとともに、該中空部の一面をボルト部が貫通するスリットにより外部に開放し、該スリットが形成されている面を吊フレーム取付面としてなる構造を備えていることを特徴とする。
【００１１】
また、第５の発明は、第４の発明において、前記フレーム取付片部は、上方部分に鉛直部、下方部分に傾斜部を有し、この傾斜部の内部にフレーム結合部を構成する前記中空部を形成するとともに、該傾斜部の上面にフレーム結合部を構成する前記スリットを開口し、この上面を吊フレーム取付面としてなることを特徴とする。
【００１２】
また、第６の発明は、第５の発明において、前記傾斜部は、前記フレーム取付片部において、下方が天井取付片部の反対側に傾斜するように構成されていることを特徴とする。
また、第７の発明は、第５又は第６の発明において、前記吊フレームは、天井フレームに結合する第１連結部と吊フレームに結合する第２連結部とを備えた別体のフレーム連結部材により天井フレームに結合され、更に、前記第１連結部は、前記傾斜部の上面に当接するとともに、第１連結部の先端部に前記フレーム取付片部の鉛直部から傾斜部にかけてのコーナ部に当接する当接部が形成されていることを特徴とする。
【００１３】
また、第８の発明は、第７の発明において、前記フレーム連結部材は、第１連結部と第２連結部との境界部から第２連結部において中空構造に形成されてなることを特徴とする。
【００１４】
また、第９の発明は、第８の発明において、前記フレーム連結部材は、中空部が天井フレームの長手方向に延びる中空構造とすることにより天井フレームの長手方向に一定の断面形状とし、天井フレームの長手方向に押し出された押出型材から形成されてなることを特徴とする。
【発明の効果】
【００１５】
第１の発明に係る空気調和機の室外機用設置台によれば、天井部に取り付けられる一対の天井フレームは、天井部に沿う天井取付片部と、天井取付片部の一端から下方に向けて連接されたフレーム取付片部とからなり、かつ、フレーム取付片部と天井取付片部との境界部からフレーム取付片部において内部に長手方向全長に延びる中空部を備えた中空構造に形成されているので、本発明に係る空気調和機の室外機用設置台は、従来のように単純に板部材を折り曲げて形成したものに比し、天井取付片部とフレーム取付片部との境界部からフレーム取付片部においての断面係数が大きくなり、強度が向上する。
【００１６】
また、第２の発明によれば、第１の発明おいて、天井取付片部に長手方向の複数のリブが一体に形成されているので、天井取付片部の強度が向上する。すなわち、通常、天井フレームは天井部への取付が２箇所のアンカーボルトに対して行われるので、長手方向の強度が問題になるがこのようなリブを設けることにより、天井フレームの強度が向上する。
【００１７】
また、第３の発明によれば、第１又は第２の発明において、前記天井フレームは、フレーム取付片部に、吊フレームを固定する締結具を仮締めした状態で、吊フレームをスライド式に位置調整可能とするフレーム結合部を有するので、吊フレームの位置決め作業が容易であり、空気調和機の取付作業の工数が削減される。
【００１８】
また、第４の発明によれば、第３の発明において、前記フレーム結合部は、ナット部を回転しないように保持しながらスライド可能とする長手方向に延びる中空部を備えた中空構造に形成されているので、吊フレームの位置調整が長手方向に無段階に調整でき、かつフレーム接合部の強度を大きくすることができる。
【００１９】
また、第５の発明によれば、第４の発明において、フレーム取付片部に傾斜部を設け、この傾斜部の上面を吊フレーム取付面としているので、天井フレームに吊フレームを取り付ける作業が容易になり作業能率の向上を図ることができる。
【００２０】
また、第６の発明によれば、第５の発明において、前記傾斜部は、下方が天井取付片部の反対側に傾斜するように構成されているので、天井フレームに吊フレームを取り付ける作業において天井フレームを取り付けているアンカーボルトが邪魔になることがなく、より一層取付作業を効率化することができる。
【００２１】
また、第７の発明によれば、第５叉は６の発明において、天井フレームと吊フレームとが別体に形成されたフレーム連結部材により結合されるので、吊フレームの体裁を配慮した簡略な構成にすることができる。また、従来の空気調和機の吊下げ据付台であれば、天井フレームの長手方向の横風が吹くと、吊フレームが天井フレームの取付部を中心に振れて振動及び変形を起こすが、本空気調和機の吊下げ据付台の場合は、フレーム連結部材の第１連結部に、前記フレーム取付片部の鉛直部から傾斜部にかけてのコーナ部に当接する当接部が形成されているので、上記のような振動や変形が抑制され、据付台の強度が向上する。
【００２２】
また、第８の発明によれば、第７発明において、フレーム連結部材は、第１連結部と第２連結部との境界部から第２連結部において中空構造に形成されているので、吊フレーム取付部の強度が向上する。
【００２３】
また、第９の発明によれば、第７発明において、フレーム連結部材は、天井フレームの長手方向に延びる中空部を備えた中空構造とすることで、天井フレームの長手方向に押し出された押出型材から形成されているので、フレーム連結部材の強度が向上するとともに、金属エッジ部を少なくして滑らかな外表面に形成することができ、外観体裁を向上することができる。
【発明を実施するための最良の形態】
【００２４】
先ず、本発明を具体化した空気調和機の吊下げ据付台について、図１及び図２に基づき概略構成を説明する、なお、図１は本発明の実施の形態に係る空気調和機の吊下げ据付台の全体斜視図である。この図から分かるように、本実施の形態に係る空気調和機の吊下げ据付台は、前後方向及び左右方向それぞれに対称的に構成されている。また、図２は、図１において左方向から見た側面図であって、図１における右側の半分のみを示している。
【００２５】
これら図面に示されるように、本実施の形態に係る空気調和機の吊下げ据付台は、一対の天井フレーム１０と、一対の天井フレーム１０から下方に吊下げられた一対のＵ字形の吊金具２０とを有している。また、吊金具２０は、一対の天井フレーム１０それぞれの下方に取り付けられる吊フレーム２１と、吊フレーム２１の下部に両端部が連結されるベースフレーム３０とを有している。
【００２６】
また、吊フレーム２１と天井フレーム１０とは上フレーム連結部材４０により連結され、吊フレーム２１の下部とベースフレーム３０とは下フレーム連結部材５０により連結されている。なお、吊フレーム２１は、上部は筒状フレーム２２であり、下部はフック部２５として構成されている。フック部２５は、下フレーム連結部材５０を引掛け及び仮止めを可能とするものであり、この場合に下フレーム連結部材５０にベースフレーム３０を取り付けた状態としてもよい。
【００２７】
なお、図１において、６０は、上フレーム連結部材４０と天井フレーム１０とを結合するための締結具であり、７０は、下フレーム連結部材５０とフック部２５とを結合するための締結具であり、８０はベースフレームと吊フレームとを結合するコーナー部を据付台の外側から覆うカバー部材である。
【００２８】
以下に本実施の形態に係る空気調和機の吊下げ据付台を、特に天井フレーム１０と吊フレーム２１との結合部の構造を中心に更に詳細に説明する。なお、以下の説明において、左右方向というときは天井フレーム１０の長手方向をいい、左側は図１における天井フレーム１０の手前の端部側をいい、右側は図１における天井フレーム１０の向うの端部側をいうものとする。また、前後方向というときは図１における右手前側を前、左向こう側を後とする方向をいうものとし、この前側を正面、後側を背面とする。また、本実施の形態に係る空気調和機の吊下げ据付台は、前述のように前後方向及び左右方向それぞれに対称的に構成されているので、以下の説明においては、天井フレーム１０については前側のものを対象として説明し、吊フレーム２１及び上フレーム連結部材４０については前面左側のものを対象として説明する。
【００２９】
先ず、天井フレーム１０について、図１〜図６に基づき説明する。なお、図３は天井フレーム１０とこの天井フレーム１０の長手方向に対し直角に結合される吊フレーム２１との結合部周りの断面図であり、図４は天井フレーム１０の平面図であり、図５は図４におけるＶ−Ｖ断面図であり、図６は図４におけるＶＩ−ＶＩ断面図である。
【００３０】
天井フレーム１０は、図５の断面図に示されるような断面形状を備えた押出型材を製作し、この押出型材に切断加工、孔開け加工などを施して製作したものである。そして、天井フレーム１０は、ベランダ等の天井部に予め取り付けられたアンカーボルトに取り付けられるものであって、天井部に沿う天井取付片部１１と、天井取付片部１１から下方に向けて延びるフレーム取付片部１２とからなる略Ｌ字型に形成されている。
【００３１】
天井取付片部１１には、天井部のアンカーボルトを挿通させて天井フレーム１０を取り付けるための２個の長孔１１ａが形成されている。この長孔１１ａは、図６に示すように天井取付片部１１の幅（前後方向）の中央部であって、かつ、図４に示すように長手方向の両側部に偏して対称的に２個形成されている。また、天井取付片部１１の上面には、図３、図５及び図６などに示すように、上記長孔１１ａを挟んで長手方向のリブ１３が片側にそれぞれ２本ずつ（計４本）形成されている。
【００３２】
フレーム取付片部１２は、図５及び図６に示すように、上半部が鉛直部１４として形成され、下半部は下方が天井取付片部１１の反対側（この場合前面側）に傾斜する傾斜部１５として形成されている。鉛直部１４には、断面形状が上下方向に長い略長方形の中空部１４ａ、１４ｂが上下に２個形成され、下方の中空部１４ｂを形成する隔壁を介して傾斜部１５が形成されている。傾斜部１５には、段付き長方形の中空部１６が傾斜部１５の上面（換言すると天井取付片部１１の反対側の面）１５ａに平行に傾斜して形成されている。傾斜部１５の上面１５ａ中央部には、長手方向全長に延びるスリット１７が形成され（図５、図６参照）、このスリット１７を介して段付き中空部１６が外部に開放されている。
【００３３】
上記構成において、鉛直部１４における上方の中空部１４ａは、天井取付片部１１とフレーム取付片部１２との境界部分を形成している。また、上記中空部１４ａ、１４ｂ、１６は、何れも天井フレーム１０の長手方向全長に亘って形成されており、これにより、天井取付片部１１とフレーム取付片部１２との境界部分の強度を大きくするとともに、フレーム取付片部１２の強度をも大きくしている。
【００３４】
また、上記構成における段付き中空部１６は、幅広部分１６ａと幅狭部分１６ｂとが接合した形状のものであって、幅広部分１６ａがスリット１７側に形成され、幅狭部分１６ｂがスリット１７から遠い方に形成されている。天井フレーム１０と筒状フレーム２２とは締結具６０により固定されるが、幅広部分１６ａは、この締結具６０を構成するナット部６２を回転不能に保持しながら長手方向にスライド可能とするように形成されている。また、幅狭部分１６ｂは、締結具６０を構成するボルト部６１の先端部、つまり、ナット部６２から突出するボルト部６１の先端部分を逃がす逃がし部として形成されている。なお、締結具６０はボルト部６１とナット部６２、座金６３及び座金６４から構成されている。また、スリット１７の幅は、後述する上フレーム連結部材４０の突出部４３がスリット１７に挿入されてスライド可能となる幅寸法とされ、ナット部６２が外れない程度の寸法とされている。
【００３５】
本発明の第４の発明におけるフレーム結合部は、ナット部６２を回転しないように保持しながらスライド可能に保持する長手方向に延びる幅広部分１６ａを有するとともに、幅広部分１６ａの一面をボルト部６１が貫通するスリット１７により外部に開放し、スリット１７の形成されている面を吊フレーム取付面とした構造をいう。また、フレーム結合部をこのように構成することにより、後述する上フレーム連結部材４０を吊フレーム取付面に当接してボルト部６１とナット部６２で緩く締めた状態とすると、吊フレーム２１を仮締めした状態（より具体的には、上フレーム連結部材４０を介して仮締めした状態）となり、吊フレーム２１を天井フレーム１０の長さ方向にスライドさせることができるようになる。したがって、上記フレーム結合部は、第３の発明に関係するように、吊フレーム２１をスライド式に位置調整する機能を備えているものである。
【００３６】
なお、上述のスリット１７の中央部には、中空部１６の幅広部分１６ａの幅一杯まで拡げた開放部１７ａが形成されている（図１参照）。この開放部１７ａは、ナット部６２をこの開放部１７ａからスリット１７内に挿入することを可能とするものである。したがって、この開放部１７ａを形成することにより、締結具６０のナット部６２を、天井フレーム１０のスリットの中央部何れからでも入れることができる。また、傾斜部１５の後方には、この傾斜部１５の強度を更に向上させるためのリブ１８が突出して形成されている（図１、図５参照）。ただし、このリブ１８は、天井フレーム１０を天井部に取り付ける作業のときに、アンカーボルト締結作業の邪魔にならないように長孔１１ａ間のみに形成している（図１参照）。
【００３７】
上記構成の天井フレーム１０は、図５の断面形状のものを押出加工により製作し、その後に長孔１１ａ、スリット１７の開放部１７ａを加工するとともに、リブ１８を所定部分のみ残して両端部を切断することにより製作される。したがって、切断面は、天井フレーム１０の長さ方向の端部とリブ１８の端部などに限定される。これに対し、押出方向と直角の断面における角部には適宜のアールを形成することができるとともに、複雑な形状も可能となるので、上述のようなフレーム取付片部１２の中空構造や天井取付片部１１のリブ１３などを容易に形成することができる。
【００３８】
このように構成された、天井フレーム１０は、前述の長孔１１ａにアンカーボルトの螺子部を通してナット止めすることにより、ベランダの下面などの天井部に取り付けられる。そして、この場合には、天井取付片部１１が相対向するように一対取り付けられるので、天井フレーム１０に対し吊フレーム２１を取り付ける作業は、アンカーボルトに邪魔されずに、アンカーボルトの反対側の斜め上方から作業することができ、作業性が向上する。また、一対の吊フレーム２１間の上部の間隔を下部の間隔（この間隔は主としてベースフレームの長さに左右さされるが）より大きくすることが容易になる。そして、このように上部の間隔を広げると、外観上安定感を増すことができる。
【００３９】
次に、天井フレーム１０に取り付けられる吊フレーム２１の筒状フレーム２２及び筒状フレーム２２を天井フレームに取り付けるための上フレーム連結部材４０について図１〜３、図７〜図１０に基づき説明する。なお、図７は筒状フレームの側面図であり、図８は筒状フレームの平面図であり、図９は上フレーム連結部材の左側面図であり、図１０は上フレーム連結部材の背面図（図９における左側から見た図）である。
【００４０】
吊フレーム２１の上部を構成する筒状フレーム２２は、図７及び図８に示すように、左右方向に長い略長方形の断面を有する中空部材であって、天井取付片部１１の反対側の前面２３が円弧状に形成されている。また、筒状フレーム２２は、左右方向の両側面（図面では一方の面のみ表示）の上下にはリベット用孔２４、２５が設けられており、上フレーム連結部材４０及びフック部２５に対しては、図１及び図２に示すように、リベット４７、２３により結合されている。また、上記筒状フレーム２２は、アルミ押し出し加工により製作されているので、天井取付片部１１の反対側の面（この場合前面）２３のように円弧状の面を容易に形成することができ、角部にも適宜のアールをすることができる。また、上下端部の切断端面を除いては金属エッジが露出されない。
【００４１】
次に、上フレーム連結部材（本発明ににいう別体のフレーム連結部材）４０は、天井フレーム１０と吊フレーム２１の上部を成す筒状フレーム２２とを接続するものであって、図９の左側面図における左端面の形状の押出型材から製作されている。すなわち、図９の左側面図における左端面の形状の断面を有する押出型材を製作し、所定幅に切断した後に孔開け加工して製作されている。上フレーム連結部材４０は、図３、図９及び図１０に示すように、前記傾斜部１５に当接する第１連結部４１と筒状フレーム２２に挿入される第２連結部４２とを有している。第１連結部４１は、組立状態において前記傾斜部１５の上面１５ａに添うように垂直面から約４０度天井取付片部１１の反対側に傾斜し、第２連結部４２は筒状フレーム２２の下部の位置がベースフレーム３０の端部との接合に適切な位置となるように約５度天井取付片部１１側に傾斜している。
【００４２】
第１連結部４１は、図３から分かるように、傾斜部１５に当接する部分は板状に形成されているが、強度を大きくするために厚さを大きくしている。また、第１連結部４１には、傾斜部１５側に前述のスリット１７に嵌る突出部４３が形成され、その中央部分に締結具６０のボルト部６１を貫通させるボルト孔４４が形成されている。また、第１連結部４１の先端部に、天井フレーム１０のフレーム取付片部の鉛直部１４から傾斜部１５にかけてのコーナ部に当接する当接部４５が形成されている。吊フレーム２１は、この当接部４５により、天井フレーム１０との取付部を中心として下端部が天井フレーム１０の長手方向に振れるのを抑制することができる。
【００４３】
第２連結部４２は、材料を少なくして強度を大きくするために中空構造に形成されているものであって、左右方向の寸法は筒状フレーム２２の筒状内部の寸法に略一致させ、また、前後方向の寸法も筒状フレーム２２の筒状内部の寸法に略一致させている。なお、図３において、前面側（図３における右側）に隙間があるのは筒状フレーム２２の前面２３が円弧を成すように形成されているためである。しかし、筒状フレーム２２の左右両側部においては、筒状内部の前後方向寸法と第２連結部４２の前後方向寸法とを略一致させているので、隙間は略無しの状態となっている。このように隙間なしとすることにより、上フレーム連結部材４０と筒状フレーム２２との結合部の強度が向上する。
【００４４】
また、第２連結部４２の背面側（図９における左側の面）上方部には、筒状フレーム２２における天井取付片部１１側の面にリベット４６（図１参照）により固定するためのリベット用孔４６ａが２個開けられている。また、下方には、大径のリベット４７を挿通させるためのリベット用孔４７ａが形成されている。そして、両連結部４１、４２は、中空構造のコーナ部４８により連結されている。コーナ部４８は、前後方向の寸法が第２連結部４２の前後方向寸法より若干大きく形成されているので、取り付け状態における第２連結部４２と筒状フレーム２２の上部との隙間は、第２連結部材の端部により塞がれるように形成されている。
【００４５】
上フレーム連結部材４０は、上記のように図９の左側面図における左端面の形状の押出型材から製作されたものであって、図９の左側面図から見た各角部には適宜のアールを形成されるとともに、曲がり部などにも適宜の丸みを持たせているので、滑らかな形状に形成されている。したがって、両側の切断面を除いては鋭い金属エッジが露出しない。また、上フレーム連結部材４０は、第１連結部４１の厚さを大きくして形成するとともに、第２連結部４２と第１連結部４１との境界部から第２連結部４２において中空構造に形成されているので、この部分の断面係数を大きくして強度を向上させることができる。
【００４６】
筒状フレーム２２の下部には、フック部２５（図２参照）が取り付けられ、ベースフレーム３０を下フレーム連結部材５０（図２参照）により筒状フレーム２２に引っ掛けた状態としたり、空気調和機の室外機を仮載置できる状態にベースフレームを仮止めしたりすることができるように構成されている。また、ベースフレーム３０の上面のスリット３１には室外機を固定するための防振固定具３２が取り付けられている。防振固定具３２はスリット３１により前後方向にスイラドできるよう取り付けられている。
【００４７】
上記のように構成される据付台は、出荷段階において、吊フレーム２１の筒状フレーム２２に上フレーム連結部材４０とフック部２５とを組立状態とするとともに、ベースフレーム両端に下フレーム連結部材５０を取付けた状態とされている。そして、空気調和機の室外機の据付作業は、このような状態で出荷された据付台を用いて次のような手順で行われる。
【００４８】
先ず、天井フレーム１０を天井部に沿えて、天井部に予め設置されているアンカーボルトを利用して取り付ける。このとき天井フレーム１０には長孔１１ａが形成されているので、天井フレーム１０の長手方向に位置調整を行う。次いで、吊フレーム２１に取り付けられている上フレーム連結部材４０に、ボルト部６１、座金６３，６４、ナット部６２を仮組みする。そして、このようにボルト部６１等を仮組みした締結具６０のナット部６２を天井フレーム１０のスリット開放部１７ａからスリットに入れて、吊フレーム２１を長手方向に適宜スライドさせて、締結具６０を仮止めする。さらに、吊フレーム２１を所定位置まで移動して仮止めした締結具６０を締め付けて、吊フレーム２１を所定位置に固定する。次に、ベースフレーム３０の前後何れか一方を、吊フレーム２１のフック部２５に引っ掛けておく。
【００４９】
このような取付準備が整ったところで、室外機を予定の場所で所定高さ位置まで持ち上げる。そして、持ち上げた状態でベースフレーム３０を持ち上げ、フック部２５に引掛けていない方のベースフレーム３０端部をフック部２５に引掛ける。これにより、ベースフレーム３０の両端部がフック部２５に引掛けられることになり、ベースフレーム３０が仮止めされた状態となる。そこで、この仮止め状態のベースフレーム３０の上に室外機を載置する。次いで、フック部２５と下フレーム連結部材５０とを締結具７０で固定し、さらに、室外機の脚部（図示せず）をベースフレーム３０上の防振固定装置３２に固定することで室外機の取付作業が完了する。
【００５０】
本実施の形態に係る空気調和機の吊下げ据付台は以上のように構成されているので、次のような効果を奏することができる。
（１）  天井部に取り付けられる一対の天井フレーム１０は、天井部に沿う天井取付片部１１と、天井取付片部１１の一端から下方に向けて連接されたフレーム取付片部１２とからなり、かつ、フレーム取付片部１２と天井取付片部１１との境界部からフレーム取付片部１２において内部に長手方向全長に延びる中空部１４ａ、１４ｂ及び１６を備えた中空構造に形成されているので、本発明に係る空気調和機の室外機用設置台は、従来のように単純に板部材を折り曲げて形成したものに比し、天井取付片部１１とフレーム取付片部１２との境界部からフレーム取付片部１２においての断面係数が大きくなり、強度が向上する。
【００５１】
（２）  また、天井取付片部１１に長手方向の複数のリブ１３が一体に形成されているので、天井取付片部１１の強度が向上する。すなわち、通常、天井フレーム１０は天井部への取付が２箇所のアンカーボルトに対して行われるので、長手方向の強度が問題になるがこのようなリブ１３を設けることにより、天井フレーム１０の強度が向上する。
【００５２】
（３）  また、天井フレーム１０は、フレーム取付片部１２に、吊フレーム２１を固定する締結具６０を仮締めした状態で、吊フレーム２１をスライド式に位置調整可能とするフレーム結合部を有するので、吊フレーム２１の位置決め作業が容易であり、空気調和機の取付作業の工数削減を行うことができる。
【００５３】
（４）  また、前記フレーム結合部が、ナット部６２を回転しないように保持しながらスライド可能とする長手方向に延びる中空部１６を備えた中空構造に形成されているので、吊フレーム２１の位置調整が長手方向に無段階に調整でき、かつフレーム接合部の強度を大きくすることができる。
【００５４】
（５）  また、フレーム取付片部１２に傾斜部１５を設け、この傾斜部１５の上面１５ａを吊フレーム取付面としているので、天井フレーム１０に吊フレーム２１を取り付ける作業が容易になり作業能率の向上を図ることができる。
【００５５】
（６）  また、傾斜部１５は、下方が天井取付片部１１の反対側に傾斜するように構成されているので、天井フレーム１０に吊フレーム２１を取り付ける作業において天井フレーム１０を取り付けているアンカーボルトが邪魔になることがなく、より一層取付作業を効率化することができる。
【００５６】
（７）  また、天井フレーム１０と吊フレーム２１とが別体に形成された上フレーム連結部材４０により結合されるので、吊フレーム２１を、体裁を配慮した簡略な構成にすることができる。また、従来の空気調和機の吊下げ据付台であれば、天井フレーム１０の長手方向の横風が吹くと、吊フレーム２１が天井フレーム１０の取付部を中心に振れて振動及び変形を起こすが、本空気調和機の吊下げ据付台の場合は、フレーム連結部材４０の第１連結部４１に、フレーム取付片部１２の鉛直部１４から傾斜部１５にかけてのコーナ部に当接する当接部４５が形成されているので、上記のような振動や変形が抑制され、据付台の強度がより向上する。
【００５７】
（８）  また、上フレーム連結部材４０は、第１連結部４１と第２連結部４２との境界部から第２連結部４２においては中空構造に形成されているので、吊フレーム取付部の強度が向上する。
【００５８】
（９）  また、上フレーム連結部材４０は、天井フレーム１０の長手方向に延びる中空部１４ａ、１４ｂ、１６を備えた中空構造とすることで、天井フレーム１０の長手方向に押し出された押出型材から形成されているので、フレーム取付片部１２の強度が向上するとともに、金属エッジ部を少なくして滑らかな外表面に形成することができ、外観体裁を向上することができる。
【００５９】
上記実施の形態においては、天井フレーム１０、筒状フレーム２２、ベースフレーム３０及び上フレーム連結部材４０はそれぞれアルミ押出型材から構成されるものであるが、本発明における第１〜第８の発明は、このような押出型材を用いたものに限定されるものではない。また、本発明は、材料もアルミに限らず、鉄、亜鉛などの他の材料を用いたものでもよい。
【図面の簡単な説明】
【００６０】
【図１】本発明の実施の形態に係る空気調和機の吊下げ据付台の全体斜視図である。
【図２】図１において左方向から見た側面図であって、図１における右側の半分のみを示している。
【図３】同実施の形態に係る天井フレームと吊フレームとの結合部周りの断面図である。
【図４】同実施の形態に係る天井フレームの平面図である。
【図５】図４におけるＶ−Ｖ断面図である。
【図６】図４におけるＶＩ−ＶＩ断面図である。
【図７】同実施の形態に係る筒状フレームの側面図である。
【図８】同筒状フレームの平面図である。
【図９】同実施の形態に係る上フレーム連結部材の左側面図である。
【図１０】同実施の形態に係る上フレーム連結部材の背面図である。
【図１１】従来例に係る空気調和機の吊下げ据付台の全体斜視図である。
【図１２】同空気調和機の吊下げ据付台における天井フレームと吊フレームとの接合部の構造図である。
【符号の説明】
【００６１】
１０  天井フレーム
１１  天井取付片部
１２  フレーム取付片部
１３  リブ
１４  鉛直部
１４ａ  中空部
１４ｂ  中空部
１５  傾斜部
１５ａ  上面
１６  中空部
１６ａ  幅広部分
１７  スリット
２０  吊金具
２１  吊フレーム
２２  筒状フレーム
４０  上フレーム連結部材
４１  第１連結部
４２  第２連結部
４５  当接部
６０  締結具
６１  ボルト部
６２  ナット部
【図１】
2006125784.tif 000003
【図２】
2006125784.tif 000004
【図３】
2006125784.tif 000005
【図４】
2006125784.tif 000006
【図５】
2006125784.tif 000007
【図６】
2006125784.tif 000008
【図７】
2006125784.tif 000009
【図８】
2006125784.tif 000010
【図９】
2006125784.tif 000011
【図１０】
2006125784.tif 000012
【図１１】
2006125784.tif 000013
【図１２】
2006125784.tif 000014